(57)【要約】【課題】  キャリー用具では、形状、構造、機能などに大きな変化がなく、荷物の保管と荷物の運搬の往復路だけの活用であり、往路の先である目的地のアウトドア、インドア、復路後の室内では置き去りされた状態で荷物の保管のみの使い道であるという不都合を解決すること。【解決手段】  背負子とザック類などを合体したキャリー用具全体に多才な用途を導入、一体化したもので、キャリー用具本体の枠組みで、ベッド、ベンチの機能を有した構造とし、キャリー用具の枠組みの各部を利用して、各機能・用途のものやテント張り用の各分岐した骨組みを適度に設け、キャリー用具の枠組みでのベッドをテントで合理的に覆う構成にし、キャリー用具の枠組みと各機能・用途のものやテントを適合する大きさ、形状に可変することで、各種キャリー用具全体の多目的機能を作り出し、総合的に実現することにより、この課題を解決する。【選択図】図１
2007283046.tif 000002
【特許請求の範囲】
【請求項１】
背負子とザック・各スポーツバッグ・トランク類を合体したキャリー用具全体が多様性ある可変的な構成のものを有することで、キャリー用具全体が多目的機能を保有し、併用することを特徴とするマルチタイプのキャリー用具。
【請求項２】
背負子とザック・各スポーツバッグ・トランク類を合体したキャリー用具全体にベッド、ベンチ、スリーピングバッグ、テント、ハンガー立て、日よけ・雨よけカバー、更衣場、その他などの用途を導入、一体化したもので、キャリー用具の背負う部分を天井上向き面として、キャリー用具本体の枠組みで、ベッド、ベンチ上としての機能を果たす適度で合理的な構造とし、キャリー用具の枠組みの各部を利用して、各機能・用途のものやテント張り用の各分岐した骨組みを適度に設け、キャリー用具の枠組みでのベッドをテントで合理的に覆う構成にし、キャリー用具の枠組みと各機能・用途のものやテントを適合する大きさ、形状に可変することで、各種類、各サイズ、各使用用途と条件などのもののキャリー用具全体の多目的機能を作り出し、共有化して融合するようにし、総合的に実現することを特徴とする請求項１記載のマルチタイプのキャリー用具。
【発明の詳細な説明】
【技術分野】
【０００１】  本発明は、スポーツ・アウトドア、又は室内・インドアのキャリー用具に関するものであり、キャリー用具特有の形状、構造、機能に工夫を加えることによって、キャリー用具全体が多目的機能を統合的に保有するようにしたものである。
【背景技術】
【０００２】  従来、キャリー用具は、手荷物、その他の物を中に収めて、身に掛ける、持つ、背負って運搬するスタイルに定着している。
【発明の開示】
【発明が解決しようとする課題】
【０００３】  しかし、従来のようなキャリー用具では、形状、構造、機能などに大きな変化がなく、荷物の保管と荷物の運搬の往復路だけの活用であり、往路の先である目的地のアウトドア、インドア、復路後の室内では置き去りされた状態で荷物の保管のみの使い道であり、マンネリズムの傾向にあるのが現状である。本発明は、これらの不都合を解決することを課題とする。
【課題を解決するための手段】
【０００４】  この課題を解決するための請求項１の発明は、背負子とザック・各スポーツバッグ・トランク類を合体したキャリー用具全体に多様性ある可変的な構成のものを供給することで、キャリー用具全体がタイムリーに多目的機能を保有することができ、併用することを特徴とする。【０００５】  又、請求項２の発明は、背負子とザック・各スポーツバッグ・トランク・リュックサック・各バッグ・その他のキャリー用具類などを適当に合体した、分離することも可能な、各大きさ、容量を変化させた互換性のある総キャリー用具形体とし、背負子の全体が多目的機能を誘導するように、多様な工夫をした枠組み構成を設けたものを主軸として有用するようにし、キャリー用具全体にベッド、ベンチ、スリーピングバッグ、テント、ハンガー立て、日よけ・雨よけカバー、更衣場、その他などの用途を導入、一体化したもので、キャリー用具の背負う部分を天井上向き面として、キャリー用具本体の枠組み（フレーム・パイプ類など）で、ベッド、ベンチ上としての機能を果たす、ベッドとベンチの広さが変化する適度で合理的な構造とし、キャリー用具の枠組みの各部を利用して、ハンガー立て、日よけ・雨よけカバー、更衣場やテント（フライシートを含む）張り用の各分岐した骨組みを適度に設け、キャリー用具の枠組みでのベッドをテントで合理的に覆う構成にし、キャリー用具の枠組みと各機能・用途のものやテントを適合する大きさ、形状に可変することで、各種類、各サイズ、各使用用途と条件などのもののキャリー用具全体の多目的機能を作り出し、タイムリーに利用するものであり、共有化して融合するようにし、総合的に実現することを特徴とする。
【発明の効果】
【０００６】  本発明のキャリー用具は、物を持ち運ぶ目的は勿論のこと、キャリー用具を身に付けていたのを外す、又は背負いを止めて置くと、ベッド、ベンチ、スリーピングバッグ、テント、ハンガー立て、日よけ・雨よけカバー、更衣場、その他などの複数の用途を備えた幅広い多才な用具能力を保持しているので、タイムリーに合理的に利用ができ、利便性が良くなり、効果的な威力を発揮することができる。【０００７】  本発明は、多様性ある自由な発想で可変的な構成を作ることで、普遍的な多目的機能の発効を促すものであり、マルチタイプ的な要素を保有して、キャリー用具技術性能が向上した、オールラウンドのものである。【０００８】  各利用者の体格、身長、体重やその他の要望により、キャリー用具の技術性能が変化した普遍的なものになり、利用者に適合したキャリー用具技術性能を有した各種類、各サイズ、各使用用途と条件などのものを選定でき、快適な中でアウトドア、インドアを楽しむことができる奥深いマテリアルを提供することができる。【０００９】  本発明は、キャリー用具の枠組みを利用し、枠組みに適合したコンパクトな大きさのテントを一体化して設置することにより、従来のキャリー用具の別テント準備の二分化に比べ、負担が少なく、総重量も軽減できる。又、キャリー用具を置くだけでベンチ構造になっているので、どこでも手軽に休憩、休養ができ、ベンチ上に日よけ・雨よけカバー、更衣場、その他などの用途を導入により、アウトドアでの日よけ・雨よけやプライベートも保たれる。又、有効活用するため、使用する目的や場所、各条件などにより効率的に多目的機能を選択することができ、必要最小限にして負担を軽減できる。更に、背負子とザック・各スポーツバッグ・トランク類の大きさ、容量を変化させた互換性のある適合したものを使用することができ、必要であれば、背負子とザック・各スポーツバッグ・トランク類を分離することも可能であり、効果的な利用ができる。【００１０】  本発明は、山、高原、野原、海、川、湖、各スポーツ場、各地、その他へのキャンプ、デーキャンプ、トレッキング、ハイキング、マウンテンスポーツ、マリーンスポーツ、釣り、ゴルフ、テニス、野球、サッカーなどの各スポーツ、各スポーツ合宿、旅行、ビジネス、買い物、各ツーリング、その他などのアウトドアは勿論のこと、インドアの日常生活の家庭用具として、ベンチ、ハンガー立て、ベッド、その他などにも適応することができ、利用範囲が広いものである。
【発明を実施するための最良の形態】
【００１１】  図１は、マルチタイプのキャリー用具の概略外形図・多目的機能例１で、背負子とザック・各スポーツバッグ・トランク・リュックサック・各バッグ・その他のキャリー用具類などを適当に合体した、分離することも可能な総キャリー用具形体とし、背負子の全体が多目的機能を誘導するように、多様な工夫をした枠組み構成を設けたものを主軸として有用するようにし、キャリー用具全体にベッド、テント、その他などの用途を導入、一体化したもので、キャリー用具の背負う部分を天井上向き面として、キャリー用具本体の枠組み（フレーム・パイプ類など）で、ベッド、ベンチ上としての機能を果たす、ベッドとベンチの広さが変化する適度で合理的な構造とし、キャリー用具の枠組みの各部を利用して、テント（フライシートを含む）張り用の各分岐した骨組みを適度に設け、キャリー用具の枠組みでのベッドをテントで合理的に覆う構成にし、キャリー用具の枠組みとテントを適合する大きさ、形状に可変することで、各種類、各サイズ、各使用用途と条件などのもののキャリー用具全体の多才なものを作り出しすような形体にする。【００１２】  図１おいて、ベッド部は背負子全体の枠組みの中のベッド用の別枠組みを折りたたみ式（開閉式）、引き出し式（伸縮式）、はめ込み式（組み込み式）などを用いて作り、ベッド（ベンチも含む）上はクッション、蒸発・水分の発散、防水性などを配慮したものにするようにして、ベッド使用時はベッド中央部の背負い部間の幅を大きくし、ベッドの横幅を広くしたり、背負い部の凸部分を平面化するなどの構成で、寝心地を良くする。通常、ベッド部は上で段差があり、下部のザック類などは平地面（床面）より若干、浮かしぎみであるので、少しの浸水防止効果があるが、より安定、荷重抑制のため、下部のザック類などを外して、段差を小さくした平地面上（床面上）に直接ベッドを設けるようにしても良い。又、テント一つの中にベッドを複数列の構成ができるようにした、テントを含んだ各キャリー用具の構造を保有したものも可能である。テント出入り口の開閉部は、キャリー用具の背負う部分である、テントの中央部が全体の重量バランスからは最良である。屋外は勿論のこと、室内でもプライベートとしてテントを使用できる。更に、テントに代わる極小網目のもの（蚊屋）を使用すると、蚊などの防護対策効果にも繋がる。【００１３】  図２は、マルチタイプのキャリー用具の概略外形図・多目的機能例２〜５で、背負子とザック・各スポーツバッグ・トランク・リュックサック・各バッグ・その他のキャリー用具類などを適当に合体した、分離することも可能な総キャリー用具形体とし、背負子の全体が多目的機能を誘導するように、多様な工夫をした枠組み構成を設けたものを主軸として有用するようにし、キャリー用具全体にベンチ、ハンガー立て、日よけ・雨よけカバー、更衣場、その他などの用途を導入、一体化したもので、キャリー用具の背負う部分を天井上向き面として、キャリー用具本体の枠組み（フレーム・パイプ類など）で、ベッド、ベンチ上としての機能を果たす、ベッドとベンチの広さが変化する適度で合理的な構造とし、キャリー用具の枠組みの各部を利用して、ハンガー立て、日よけ・雨よけカバー、更衣場用の各分岐した骨組みを適度に設けるような構成にし、キャリー用具の枠組みと各機能・用途のものを適合する大きさ、形状に可変することで、各種類、各サイズ、各使用用途と条件などのもののキャリー用具全体の多目的機能を作り出すものである。又、ベンチと各機能のバランス構成が取れ、安定した構造のものを作るようにする。図２には示されてないが、ベンチとハンガー立ての組み合わせは、ベッドとハンガー立てが必然的に簡単にできる構造にしたものである。【００１４】  図３は、マルチタイプのキャリー用具の概略外形図例（多目的機能配備）で、背負子とザック・各スポーツバッグ・トランク・リュックサック・各バッグ・その他のキャリー用具類などを適当に合体した、分離することも可能な総キャリー用具形体とし、背負子の全体が多目的機能を誘導するように、多様な工夫をした枠組み構成を設けた、内部に多目的機能を保有した形体である。更に、背負子とザック・各スポーツバッグ・トランク類は大きさ、容量を変化させた互換性がある適合したものにもできる。又、背負子の全体が運搬しやすく、背負いやすい構造にして、必要であれば、適当に車やそりなどを付帯しても良い。【００１５】  本発明の背負う面である、ベッド、ベンチ上は背負う、寝る、座るのバランスを加味し、身体にフィットしたものにする。キャリー用具を置いたときは、安定した枠組みのフレーム・パイプ類による構造とする。ベッド、ベンチの高さは、安定性とキャリー容量に関連があるので、両者の調和を考慮する必要がある。ベッド、ベンチ上部の各自の体重と下部の荷物の重量に、十分耐えられる最小限の構造とし、キャリー用具の枠組みを含んだキャリー用具全体のコンパクト、軽量化を図ることが重要である。又、背負子のベンチ、ベッドは雨などで濡らさない工夫、対策がいる、【００１６】  図１〜３は、マルチタイプのキャリー用具の概略外形図例であり、本発明の特許請求の範囲を満足すれば、この限りではない。【００１７】  本発明は、アウトドアは勿論のことインドアにも適応することができ、多方面にわたって利用できる。
【産業上の利用可能性】
【００１８】  本発明に係るマルチタイプのキャリー用具は、工業的に量産する事が可能であるため、産業上の利用可能性を有する。
【図面の簡単な説明】
【００１９】
【図１】  マルチタイプのキャリー用具の概略外形図・多目的機能例１
【図２】  マルチタイプのキャリー用具の概略外形図・多目的機能例２〜５
【図３】  マルチタイプのキャリー用具の概略外形図例（多目的機能配備）
【符号の説明】
【００２０】図中の文字、数字は次の通りである。
Ａ  ：キャリー用具本体の枠組み      Ｂ  ：キャリー用具の背負う部分
（フレーム・パイプ類など）
Ｃ  ：ザック・各スポーツバッグ      Ｄ  ：ベッド
・トランク類
Ｅ  ：テント張り用の骨組み          Ｆ  ：テント（フライシートを含む）
Ｇ  ：ベンチ                        Ｈ  ：ハンガー立て
Ｉ  ：日よけ・雨よけカバー          Ｊ  ：更衣場
Ｋ  ：背負子とザック類の合体        Ｌ  ：背負子と各スポーツバッグ類の合体
Ｍ  ：背負子とトランク類の合体      Ｎ  ：背負子と各スポーツバッグ類とトランク                                            類の合体
【図１】
2007283046.tif 000003
【図２】
2007283046.tif 000004
【図３】
2007283046.tif 000005